(57)【要約】【課題】  種類の異なる複数のフォントが一枚のディスクに混在しても、オンスクリーン表示における異種類フォント間の変更にも対応することのできる光ディスク再生装置を提供すること【解決手段】  オンスクリーン表示に使用されるフォントデータおよびフォントデータに付随したフォントデータ管理情報を書き換え可能で不揮発性のフラッシュメモリ１１に記憶しておき、管理情報を判定してフォントデータの表示方法を切り替える。複数の種類のフォント表示に対応し、ビットマップフォントのみならずアウトラインフォントなど、ユーザの望むフォントでのオンスクリーン表示、例えば字幕表示やメニュー表示が可能となる。【選択図】図１
2005094276.tif 000002
【特許請求の範囲】
【請求項１】
映像データが記録された光ディスクから映像データを読み出し再生する光ディスク再生装置において、オンスクリーン表示で使用するフォントデータを保持する書き換え可能な不揮発性のフォント用メモリと、フォント用メモリに記憶されたフォントデータを使用してオンスクリーン表示を行うオンスクリーン表示手段と、フォント用メモリに書き込むフォントデータを取り込む入力手段と、入力手段で取り込まれたフォントデータを一時的に格納する一時記憶手段と、一時記憶手段に記憶されたフォントデータをフォント用メモリに書き込む制御手段と、フォントデータに付随したフォントデータ管理情報を判定して表示方法を切り替えるフォント切り替え手段とを備えることを特徴とする光ディスク再生装置。
【請求項２】
一時記憶手段に記憶されたフォントデータをフォント用メモリに書き込むためのプログラムは入力手段でフォントデータと共に取り込まれることを特徴とする請求項１に記載の光ディスク再生装置。
【請求項３】
入力手段は光ディスクから情報を読出す読出し手段であることを特徴とする請求項１又は２に記載の光ディスク再生装置。
【請求項４】
入力手段は通信回線が接続される通信手段であることを特徴とする請求項１又は２に記載の光ディスク再生装置。
【請求項５】
フォント切り替え手段がビットマップフォントとアウトラインフォントの切り替え手段であることを特徴とする請求項１又は２に記載の光ディスク再生装置。
【請求項６】
請求項１又は２に記載の光ディスク再生装置で再生する光ディスクであり、オンスクリーン表示のための種類の異なる複数のフォントデータを持つことを特徴とする光ディスク。
【請求項７】
種類の異なる複数のフォントデータが、ビットマップフォントと、アウトラインフォントであることを特徴とする請求項６に記載の光ディスク。
【請求項８】
請求項１又は２に記載の光ディスク再生装置で再生する光ディスクであり、光ディスクに格納したフォントデータの種類を示す管理情報を持つことを特徴とする光ディスク。
【請求項９】
映像データが記録された光ディスクから映像データを読み出し再生する光ディスク再生装置において、オンスクリーン表示で使用するフォントデータを保持する書き換え可能な不揮発性のフォント用メモリと、フォント用メモリに記憶されたフォントデータを使用してオンスクリーン表示を行うオンスクリーン表示手段と、フォント用メモリに書き込むフォントデータを取り込む入力手段と、入力手段で取り込まれたフォントデータを一時的に格納する一時記憶手段と、一時記憶手段に記憶されたフォントデータをフォント用メモリに書き込む制御手段と、フォントデータに付随したフォントデータ管理情報を判定してフォントデータをフォント用メモリに格納するかどうかを判定するコピー判定手段とを備えることを特徴とする光ディスク再生装置。
【請求項１０】
請求項９に記載の光ディスク再生装置で再生する光ディスクであり、フォントデータをフォント用メモリに格納するための条件となる情報をもつことを特徴とする光ディスク。
【発明の詳細な説明】
【技術分野】
【０００１】
本発明は、光ディスクに記録された映像や音声情報を再生する光ディスク再生装置および光ディスクに関し、オンスクリーン表示機能を有するものに関する。
【背景技術】
【０００２】
従来から映像信号や音声信号を符号化／圧縮化したデジタルデータを光ディスクのような記録媒体に記録し、その記録媒体からそれらデータを読み出して再生することがなされている。そのような光ディスクの一つとしてＤＶＤ（Ｄｉｇｉｔａｌ Ｖｅｒｓａｔｉｌｅ Ｄｉｓｋ）がある。
【０００３】
ＤＶＤには、映画などの映像データとともに、複数の言語に対応した複数の音声情報（例えば、本来の音声データや、その吹き替え音声データや、映画監督のコメンタリー音声）や複数の副画像情報（例えば、複数の言語の字幕データ）が記録されており、メニュー画面にて再生する音声データの言語や表示する字幕の言語が再生装置において選択設定され、選択設定された言語のデータが再生可能である（例えば、特許文献１を参照）。また、メニューデータが記録されているＤＶＤもあり、このメニューの表示に関しても複数の言語の中から表示に使用する言語の選択が可能である。
【０００４】
ＤＶＤ等の光ディスクを再生する再生装置ではメニュー表示において文字のオンスクリーン表示が行われるが、このオンスクリーン表示される言語の文字は、再生装置が備える文字フォントで決まってしまう。フォント用メモリ増加によるコストアップを抑えるため、通常は一種類のフォントデータしか備えておらず、再生装置におけるメニュー表示の言語は変更できない構成となっていた。
【０００５】
これに対しては、ディスクごとにフォントデータを持ち、再生装置には書き換え可能なフォントデータ格納用メモリを持ち、ディスク上のフォントデータを再生装置のメモリに格納することで、コスト増加を抑えつつ文字フォントの種類を増やす方法がある（例えば、特許文献２を参照）。
【０００６】
一方、映画の字幕においても、メニュー表示における文字のオンスクリーン表示と同様に、オンスクリーン表示される字幕の文字は、光ディスクに格納された文字フォントで決まってしまう。色々な文字フォントでの表示を可能にするためには、それだけの文字フォントのデータを備える必要があり、複数の文字フォントデータを備えるためには多くのディスク容量が必要である。このため、通常は一種類のフォントデータしか備えておらず、字幕表示のフォントは変更できない構成となっていた。
【０００７】
ＤＶＤでは、映像データと共に、複数の言語に対応した複数の音声データや複数の副画像データを、限られたディスク容量の中に格納しており、多数のフォントデータを持つことは、画質や音質や記録時間とトレードオフの関係にあったが、ＤＶＤの次世代の光ディスクになると、一枚のディスクあたりの容量が飛躍的に向上し、フォントデータを複数持つことも一般的となることが期待される。
【０００８】
同時に、ディスク容量の拡大により、種類の異なるフォントデータを一枚のディスクに持つことも可能となると期待される。
【０００９】
種類の異なるフォントデータとは、ＤＶＤ等で使用されているビットマップフォントや、ベクタデータを用いたアウトラインフォント（トゥルータイプフォントなど）である。これらのフォントはビットマップフォントに比較して、フォントサイズを拡大しても文字のふちがぎざぎざにならず滑らかであり、表示解像度に依存せず高品位な表示が可能であるという利点があり、多くの種類のフォントが一般に普及している。
【００１０】
【特許文献１】特開平８−２６３９６９号
【００１１】
【特許文献２】特開２００１−３５７６６５号
【発明の開示】
【発明が解決しようとする課題】
【００１２】
しかし、現在普及しているＤＶＤでは字幕用フォントデータとしてはビットマップフォントのみを採用しており、その他のフォントは使用していない。そのため、次世代の光ディスクでは、多種類のフォントに対応する仕組みが新たに必要になると予想される。
【００１３】
本発明は、このような点に鑑みてなされたもので、種類の異なる複数のフォントが一枚のディスクに混在しても、オンスクリーン表示における異種類フォント間の変更にも対応することのできる光ディスク再生装置および光ディスクを提供することを目的とするものである。
【課題を解決するための手段】
【００１４】
請求項１に係る本発明の光ディスク再生装置は、映像データが記録された光ディスクからデータを読み出して再生する光ディスク再生装置であって、オンスクリーン表示で使用するフォントデータを保持する書き換え可能な不揮発性のフォント用メモリと、フォント用メモリに記憶されたフォントデータを使用してオンスクリーン表示を行うためのオンスクリーン表示手段と、フォント用メモリに書き込むフォントデータを取り込む入力手段と、入力手段で取り込まれたフォントデータを一時的に格納する一時記憶手段と、一時記憶手段に記憶されたフォントデータをフォント用メモリに書き込む制御手段と、フォントデータに付随したフォントデータ管理情報を判定して表示方法を切り替えるフォント切り替え手段を備えることを特徴とする。
【００１５】
請求項２に係る本発明の光ディスク再生装置は、請求項１に記載の発明において、一時記憶手段に記憶されたフォントデータをフォント用メモリに書き込むためのプログラムは入力手段でフォントデータと共に取り込まれることを特徴とする。
【００１６】
請求項３に係る本発明の光ディスク再生装置は、請求項１又は２に記載の発明において、入力手段は光ディスクからデータを読出す読出し手段であることを特徴とする。
【００１７】
請求項４に係る本発明の光ディスク再生装置は、請求項１又は２に記載の発明において、入力手段は通信回線が接続される通信手段であることを特徴とする。
【００１８】
請求項５に係る本発明の光ディスク再生装置は、請求項１又は２に記載の発明において、フォント切り替え手段がビットマップフォントとアウトラインフォントの切り替え手段であることを特徴とする。
【００１９】
請求項６に係る本発明の光ディスクは、請求項１又は２に記載の光ディスク再生装置で再生する光ディスクであり、オンスクリーン表示のための種類の異なる複数のフォントデータを持つことを特徴とする。
【００２０】
請求項７に係る本発明の光ディスク再生装置は、請求項６に記載の光ディスク再生装置で再生する光ディスクであり、種類の異なる複数のフォントデータが、ビットマップフォントと、アウトラインフォントであることを特徴とする。
【００２１】
請求項８に係る本発明の光ディスクは、請求項１または２に記載の光ディスク再生装置で再生する光ディスクであり、光ディスクに格納したフォントデータの種類を示す管理情報を持つことを特徴とする。
【００２２】
請求項９に係る本発明の光ディスク再生装置は、映像データが記録された光ディスクからデータを読み出して再生する光ディスク再生装置であって、オンスクリーン表示で使用するフォントデータを保持する書き換え可能な不揮発性のフォント用メモリと、フォント用メモリに記憶されたフォントデータを使用してオンスクリーン表示を行うためのオンスクリーン表示手段と、フォント用メモリに書き込むフォントデータを取り込む入力手段と、入力手段で取り込まれたフォントデータを一時的に格納する一時記憶手段と、一時記憶手段に記憶されたフォントデータをフォント用メモリに書き込む制御手段と、フォントデータに付随したフォントデータ管理情報を判定してフォントデータをフォント用メモリに格納するかどうかを判定するコピー判定手段を備えることを特徴とする。
【００２３】
請求項１０に係る本発明の光ディスクは、請求項９に記載の光ディスク再生装置で再生する光ディスクであり、フォントデータをフォント用メモリに格納するための条件となるデータをもつことを特徴とする。
【発明の効果】
【００２４】
本発明によれば、ビットマップフォントのみならずアウトラインフォントなど、ユーザの望むフォントでのオンスクリーン表示、例えば字幕表示やメニュー表示が可能となる。そして、再生装置には１種類のフォントデータを記憶する容量のメモリを備えれば良く、コスト増加を招くこともないので、安価でユーザの使用条件に合わせることのできる光ディスク再生装置を提供することができる。
【発明を実施するための最良の形態】
【００２５】
図２は本発明の一実施例に係る光ディスク再生装置の概略構成図であり、光ディスクとしては例えばＤＶＤの次世代光ディスクが用いられる。
【００２６】
１は記録媒体としての光ディスクで、映画等の主たる再生目的である映像データ（情報）や音声データを含むプログラムのデータからなるプレゼンテーションデータが記録されており、さらに、映像データの画像に重ねて表示される副画像のサブピクチャデータおよび副画像の表示する位置情報等の情報を含んだサブピクチャ表示データが記録されている。
【００２７】
２は光ディスク１からデータを読み出す読み出し部、３は読み出し部２からの信号を増幅する信号増幅部、４は光ディスク１を回転させる駆動部、５は読み出し部２におけるフォーカス、トラッキング、スレーブ制御および駆動部４の駆動制御するドライブ回路、６は信号増幅部３からの出力信号に応じて光ディスク１から読み出した信号をデジタルデータとして出力すると共にドライブ回路５を制御して各種サーボ制御を行うＤＳＰサーボ回路である。
【００２８】
以上の読み出し部２、信号増幅部３、駆動部４、ドライブ回路５、およびＤＳＰサーボ回路６から光ディスク１からデータを読出す読出し手段としてのディスクドライブブロックが構成される。
【００２９】
７はＤＳＰサーボ回路６から出力されるデジタルデータを解析し映像データと音声データあるいはフォントデータといったデータ種別に応じてデータの分離を行い、分離したデータを後述する制御回路の制御に従ってそれぞれ選択的に出力するデマルチプレクサ、８は圧縮されている映像データをデコードして映像信号を出力する映像出力手段としての映像復号部、９は後述する制御回路の制御によりサブピクチャに関するデータを入力して適切なデコード手段によりデコードし映像信号として出力する副画像復号部、１０はデマルチプレクサ７から出力された音声データを音声信号にデコードする音声復号部で、Ｄ／Ａ変換器を内蔵して図示しない音響機器へと音声信号を出力する。尚、Ｄ／Ａ変換器は、音声復号部からの出力がアナログ信号ではなくデジタルデータである場合に、その出力端に接続されて音声復号部とは別構成にされるものであっても構わない。また、副画像復号部９は、ビットマップフォントのデコード手段やアウトラインフォントのデコード手段など、複数のデコード手段を持つ。
【００３０】
１１はオンスクリーン表示のためのフォントデータや後述する制御回路による制御用のプログラムが記憶された書き換え可能で不揮発性のフラッシュメモリ（ＦＬＡＳＨＲＯＭ）（フォントデータの記憶領域は予め決められておりその領域部分はフォント用メモリに相当する）、１２は書き換え用のフォントデータを一時的に格納する一時記憶手段としてのＳＤＲＡＭ、１３は映像復号部８および副画像復号部９からそれぞれ出力される映像信号を合成して出力し、更には後述する制御回路の制御に従って必要に応じてオンスクリーン表示（ＯＳＤ）を発生させてこのＯＳＤを先の映像信号に合成して出力するオンスクリーン表示手段としてのミキサであり、ミキサ１３から出力される映像信号は図示しないディスプレイに供給されて映像信号に基づいた表示がされる。
【００３１】
１４はフラッシュメモリ１１に記憶されたプログラムに従って装置全体の制御を司る制御回路で、フラッシュメモリ１１のデータ書き換えの制御を行うと共に、デマルチプレクサ７において分離した映像データと音声データとサブピクチャ表示データを所定のデコーダに出力させる選択設定動作や、信号増幅部３やＤＳＰサーボ回路６における制御動作やそのための係数設定、映像復号部８や副画像復号部９におけるデコード動作制御、またミキサ１３におけるオンスクリーン表示制御を含んだ表示制御等を行う。またフォントデータに付随したフォントデータ管理情報をもとにフォントを切り替える制御を行う。
【００３２】
１５は制御回路１４に対してユーザが制御指示を出すための入力装置であり、例えば複数のキーで構成されたり、あるいはリモコンからの信号を受けると共にその信号をデコードして入力指示信号として制御回路１４に供給するもので構成される。
１６は通信回線と接続され、再生装置外部から書き換え用のフォントデータを取り込む通信手段で、例えばモデムやＬＡＮターミナルである。
【００３３】
このような装置において、光ディスク１からの映像・音声の再生は次のように行われる。
【００３４】
まず、光ディスク１が再生装置に装着されている状態で、光ディスク１からのプログラムの読み出しを開始する。即ち、ＤＳＰサーボ回路６の制御のもと、光ディスク１が駆動部４により回転され、読み出し部２のフォーカス、トラッキングおよびスレッド制御が行われながら、光ディスク１から読み出し部２により記録されたデータに応じた信号が検出されその信号に基づくデジタルデータがデマルチプレクサ７に入力される。デマルチプレクサ７では、読み出したデジタルデータから映像データとサブピクチャに関するデータと音声データを分離して、映像データを映像復号部８に、サブピクチャに関するデータを副画像復号部９に、音声データを音声復号部１０に出力する。
【００３５】
そして、制御回路１４の制御の下、映像復号部８では映像データのデコードを行って映像信号を出力し、副画像復号部９では制御回路１４からのサブピクチャの表示指示とサブピクチャの表示言語の選択指示およびサブピクチャの種類を示すフォント情報に応じて、デコード方法を切り替えて、サブピクチャに関するデータをデコードして、位置情報に示された位置に選択された表示言語のサブピクチャデータの映像（例えば英語）が表示されるようにサブピクチャの映像信号を出力する。
【００３６】
そして、映像復号部８から出力された映像信号と副画像復号部９から出力された映像信号は、ミキサ１３にて混合・合成されて一つの映像信号として出力され、ミキサ１３からの映像信号を入力したディスプレイでは映像データの映像に選択されたサブピクチャの映像が合成された映像が再生表示される。また、音声復号部１０に入力された音声データは音声信号にデコードされ、図示しない音響機器へと音声信号が供給されて音声データに基づく音声が再生出力される。
【００３７】
また、制御回路１４は、フラッシュメモリ１１のフォントデータを用いて表示する文字列のデータをミキサ１３に供給し、ミキサ１３でオンスクリーン表示の映像信号を発生させ、このオンスクリーン表示の映像信号と映像復号部８から出力された映像信号あるいは副画像復号部９から出力された映像信号とを合成して一つの映像信号として出力する、オンスクリーン表示を行う。
【００３８】
フォントデータに付随するフォントデータ属性の一例を、図１に示す。
図１は光ディスク上に記録されたフォントデータおよびフォントデータに付随するフォント管理情報を模式的に示した図であり、３１１は表示文字情報、３１２はフォント情報、３１３はフォントデータである。
【００３９】
表示文字情報３１１の詳細を説明すると、３２１は表示フラグ、３２２はフォント数、３２３は表示優先度であり、３２４はフォントタイプであり、３２５はコピー許可属性であり、３２６は使用制限属性であり、３２７は制限内容である。表示フラグ３２１は、再生装置に搭載されたフォントと光ディスク１に格納されたフォントのどちらが推奨されているかを示すフラグであり、このフラグが立っていれば光ディスク１に格納されたフォントを用いることを、光ディスク１のコンテンツ作成者が推奨していることを示す。フォント数３２２は、後述するフォント情報、およびフォントデータの数を示す。表示優先度３２３は、光ディスクに格納された複数のフォントの表示優先順位を示す。フォントタイプ３２４は、光ディスクに格納された複数のフォントの種類を示し、ビットマップフォントであるかアウトラインフォントであるかを示す。コピー許可属性３２５は、光ディスクに格納された複数のフォントを再生装置のフラッシュメモリ１１にコピーしてよいかどうかを示すフラグであり、フォント数３２２に記載のフォント数（ｎ個）分だけフラグが含まれる。このフラグが立っていれば、該当するフォントデータはフラッシュメモリ１１にコピー可能であることを示す。使用制限３２６は、再生装置のフラッシュメモリ１１にコピーしたフォントの使用制限を示す情報であり、フォント数３２２に記載のフォント数（ｎ個）分だけ情報が含まれる。この情報は、（１）使用制限無し、（２）指定するコンテンツ作成者の光ディスク１のみ使用可、（３）指定するタイトル群の光ディスク１のみ使用可、（４）指定するディスクＩＤの光ディスク１のみ使用可、のいずれかを示す。制限内容３２７は、使用制限３２６と連携する情報が格納されており、使用制限３２６が（２）指定するコンテンツ作成者のみ使用可を示す場合は、コンテンツ作成者の光ディスク１を示し、使用制限３２６が（３）指定するタイトル群の光ディスクのみ使用可を示す場合は、指定するタイトル群を示し、使用制限３２６が（４）指定するディスクＩＤの光ディスク１のみ使用可を示す場合は、ディスクＩＤを示す。
【００４０】
フォント情報３１２の詳細を説明すると、３３１はフォント情報の羅列であり、フォント数３２２に記録された数（ｎ個）だけ、フォント情報が順番に格納されている。図１においては、フォント情報＃１からフォント情報＃ｎで表示されている。
【００４１】
フォントデータ３１３の詳細を説明すると、３４１はフォントデータの羅列であり、フォント数３２２に記録された数（ｎ個）だけ、フォントデータが順番に格納されている。図１においては、フォントデータ＃１からフォントデータ＃ｎで表示されている。フォント情報３３１の詳細を説明すると、３５１はフォント名であり、３５２はフォントデータの格納アドレスである。以上のうち、フォントデータ属性に相当するのは、表示文字情報３１１である。
【００４２】
なお、フォントデータに付随するフォントデータ属性は、フォントデータをフラッシュメモリ１１にコピーする場合に、同時にフラッシュメモリ１１に格納される。また、ディスクＩＤとは、光ディスク一枚一枚に割り振られた固有の番号である。
【００４３】
而して、オンスクリーン表示に使用されるフォントデータをユーザが選択できるので、ユーザの望むフォントでのオンスクリーン表示、例えば映画の字幕表示が可能となる。また再生装置には１種類のフォントデータを記憶する容量のメモリを備えれば良く、コスト増加を招くこともない。また表示する解像度によらず高品位な表示が可能なアウトラインフォントを利用することが可能となる。
【００４４】
上記実施例においては、書き換え用のフォントデータは光ディスク１で供給されるケースについて説明したが、本発明はこれに限られるものでなく、例えば通信手段を介して書き換え用のフォントデータが供給されるものであっても良い。
【００４５】
図２においては、例えば、通信回路１６が通信回線（無線・有線を問わない）と接続されている状態で入力装置１５により書き換えの指示入力がされたら、制御回路１４は通信回路１６を制御して所定のサーバーコンピュータあるいはインターネットにおける所定のホームページへとアクセスする。そして、ユーザはダウンロードするフォントを選択し、このサーバーから書き換え用のフォントデータのダウンロードを行う。通信回路１６を介してダウンロードされて取り込まれたデータは制御回路１５の制御によりＳＤＲＡＭ１２に一時的に格納される。この時、ダウンロードされたデータは圧縮されていても良く、その際にはダウンロードが終了した時点で解凍伸張（展開）を行い、やはりＳＤＲＡＭ１２内に元に戻した状態（展開された状態）にして格納しておく。而してＳＤＲＡＭ１２内に書き換えのためのフォントデータが格納された状態以降は、上記と同様の処理にてフラッシュメモリ１１の書き換えが行われる。
【００４６】
更に、フォントデータの種類を示す属性と同じように、フォントデータを再生装置のフラッシュメモリ１１にコピーできるかどうかの許可属性を持たせることで、光ディスク上のコンテンツ供給側（映画会社など）がフォントデータの利用範囲を管理することが可能となり、フォントデータが無制限に拡散利用されることを回避できる。
【００４７】
更に、フラッシュメモリ１１にコピーしたフォントデータを使用できる条件を指定できる使用制限属性を持たせることで、光ディスク上のコンテンツ供給側（映画会社など）がフォントデータの利用範囲を更に詳細に管理することが可能となり、ユーザニーズに応じたフォントデータ供給が可能となる。
【００４８】
フォントデータ属性（コピー許可属性、使用制限属性）およびユーザの選択により、フラッシュメモリ１１に取り込むフォントデータが確定する処理を、図３のフローチャートを用いて示す。
【００４９】
３種類の書き換え用のフォントデータが光ディスク１に記録されて供給されるケースにおいては、まず、書き換え用のデータが記録されている光ディスク１が装置に装着されると、制御回路１４は光ディスクに記録されたデータの読出しおよび再生を行い、フォントデータに付随するフォントデータ属性の解析を行う（Ｓ３０１）。フォントデータ属性のうち、表示フラグ３２１が再生装置のフォントを使用することを示している場合（Ｓ３０３）は、光ディスク１のフォントは使用しない。表示フラグ３２１が光ディスクのフォントを使用することを示している場合（Ｓ３０３）は、次にコピー許可属性３２５を調べる（Ｓ３０４）。コピー許可属性３２５がコピー不可を示している場合は、光ディスク１のフォントは使用しない。コピー許可属性がコピー可能を示している場合は、書き換え用フォント一覧に追加する（Ｓ３０５）。その他のフォントについても同様に調べ（Ｓ３０６）、すべてのフォントを調べ終わったら、書き換え用フォント一覧をオンスクリーン表示などを用いてユーザに通知し、取り込むフォントデータをユーザに選択させる（Ｓ３０７）。ユーザの選択により、フラッシュメモリ１１に取り込むフォントデータが確定する（Ｓ３０８）。
【００５０】
図４に、ディスプレイにオンスクリーン表示される、書き換え用フォント一覧の例を示す。
【００５１】
図４において、５００はディスプレイの表示画面であり、５０１はフォント名の表示欄であり、５０２はフォント属性の表示欄である。
【００５２】
３種類のフォント（フォントＡ，フォントＢ，フォントＣ）が、型および使用制限とともに表示されている様子を示しており、型に「◎」印がついているフォントはアウトラインフォント、「○」印がついているフォントはビットマップフォントを示す。また、使用制限に「本ディスクのみ」と表示されている場合（フォントＡの場合）は、フォントを格納していた光ディスクを再生する場合のみ、フォントＡが使用可能であることを示す。使用制限に「ＸＹＺ映画社のみ」と表示されている場合（フォントＢの場合）は、ＸＹＺ映画社が作成した光ディスクを再生する場合のみ、フォントＢが使用可能であることを示す。使用制限に「なし」と表示されている場合は（フォントＣの場合）は、すべての光ディスクでフォントＣが使用可能であることを示す。
【００５３】
上記実施例においては、使用制限属性として、（１）から（４）までの４種類を示したが、本発明はこれに限られるものではなく、例えば、メニューには使用不可だが字幕には制限無く使用してよい、あるいは、制限内容に記述されたプログラムによる判定を用いる、などの属性でもよい。
【図面の簡単な説明】
【００５４】
【図１】本発明の一実施例におけるフォントデータ属性の図
【図２】本発明の一実施例に係る光ディスク再生装置の構成図
【図３】本発明の一実施例における、取り込みフォントデータが確定する処理を説明するためのフローチャートを示す図
【図４】本発明の一実施例における、ディスプレイに表示される書き換え用フォント一覧を示す図
【符号の説明】
【００５５】
１  光ディスク
２  読み出し部
６  ＤＳＰサーボ回路
７  デマルチプレクサ
８  映像復号部
９  副画像復号部
１０  音声復号部
１１  フラッシュメモリ
１２  ＳＤＲＡＭ
１３  ミキサ
１４  制御回路
１５  入力装置
１６  通信回路
【図１】
2005094276.tif 000003
【図２】
2005094276.tif 000004
【図３】
2005094276.tif 000005
【図４】
2005094276.tif 000006